(57)【要約】【課題】血管内膜に形成されたプラークを除去する際の、血管壁の、プラーク周辺の組織への損傷の発生を最小限にすることのできる血管挿入型デバイスを提供する。【解決手段】本発明の血管挿入型デバイス１は、血管に挿入可能であり、長手方向の両端のそれぞれに基端および先端を有する中空管状の挿入管３と、該挿入管３の先端部３ａに配置されるとともに、該挿入管３の内部に延在する振動伝達軸部材４を介して振動発生器５に連結されて、超音波振動を発する振動部６とを具えてなるものであって、血管に挿入された前記挿入管３の先端部３ａで、前記振動部６を血管壁の内面に押し当てる押当て手段７を有することを特徴とするものである。【選択図】図２
2014108150.tif 000002
【特許請求の範囲】
【請求項１】
血管に挿入可能であり、長手方向の両端のそれぞれに基端および先端を有する中空管状の挿入管と、該挿入管の先端部に配置されるとともに、該挿入管の内部に延在する振動伝達軸部材を介して振動発生器に連結されて、超音波振動を発する振動部とを具えてなる血管挿入型デバイスであって、
血管に挿入された前記挿入管の先端部で、前記振動部を血管壁の内面に押し当てる押当て手段を有することを特徴とする血管挿入型デバイス。
【請求項２】
前記振動部を、横波を発生可能なものとすることを特徴とする請求項１に記載の血管挿入型デバイス。
【請求項３】
前記押当て手段を、前記振動部の、血管壁内面に接触させる前方側部分とは逆側の後方側に配置されて、流体の供給により、前記挿入管の径方向外側への前記振動部の変位をもたらす膨張変形を可能とした押当てバルーンで構成してなることを特徴とする請求項１に記載の血管挿入型デバイス。
【請求項４】
前記押当て手段を、前記振動伝達軸部材の、前記振動部に隣接する一部を構成するとともに、該振動部を前記挿入管の径方向外側に向けて付勢する弾性シャフト部分で構成してなることを特徴とする請求項１に記載の血管挿入型デバイス。
【請求項５】
前記挿入管の先端部の側壁に、該先端部の内部に配置した前記振動部の少なくとも一部の、該先端部の外側への進出を可能にする貫通孔を設けたことを特徴とする請求項３または４に記載の血管挿入型デバイス。
【請求項６】
前記振動部および前記押当て手段のそれぞれを、前記挿入管に対し、該挿入管の軸線方向に進退変位可能とし、
前記振動部および前記押当て手段の前進位置で、該振動部および該押当て手段のそれぞれが、前記挿入管の先端から外部に突出して位置するとともに、前記振動部および前記押当て手段の後退位置で、該振動部および該押当て手段のそれぞれが、前記挿入管の先端部の内部に収容されるものとしてなることを特徴とする請求項３または４に記載の血管挿入型デバイス。
【請求項７】
前記血管挿入型デバイスを、治療部位を加熱する加熱機能を具えるものとすることを特徴とする請求項２に記載の血管挿入型デバイス。
【請求項８】
前記振動部が、前記加熱機能を具えるヒーターを有することを特徴とする請求項７に記載の血管挿入型デバイス。
【請求項９】
前記押当て手段を、加熱機能を具えるものとすることを特徴とする請求項２に記載の血管挿入型デバイス。
【請求項１０】
前記挿入管の先端部の内部に配置されるとともに、血管および／または血管壁内の組織をモニタリングするモニタリング用超音波を発生可能な振動子を具えることを特徴とする請求項１に記載の血管挿入型デバイス。
【発明の詳細な説明】
【技術分野】
【０００１】
本発明は、血管に挿入可能であり、長手方向の両端のそれぞれに基端および先端を有する中空管状の挿入管と、該挿入管の先端部に配置されるとともに、該挿入管の内部に延在する振動伝達軸部材を介して振動発生器に連結されて、超音波振動を発する振動部とを具えてなる血管挿入型デバイスに関するものである。
【背景技術】
【０００２】
循環器系疾病である心筋梗塞や脳梗塞を招くおそれのあるアテローム性動脈硬化は一般に、コレステロールその他の脂質を貪食し泡沫化したマクロファージによって、動脈の血管内膜に形成されるアテローム性プラーク（以下、「プラーク」と称す）の成長により進行することが知られている。したがって、このようなプラークを退縮させ、または除去することは、動脈硬化の進行を食い止め、ひいては、心筋梗塞や脳梗塞などの循環器系疾病の予防ないし治療につながる。
【０００３】
ここで、上述したような、血管内膜に形成されたプラークを除去するに当たり、従来においては、例えば、方向性冠動脈内アテローム切除術という、冠動脈内のアテロームを刃で削り取る方法が試みられてきた。しかし、この方法では、血管を削りすぎて血管壁を穿孔することによる出血のリスクがあり、該リスクを回避するためには熟練した技術を要する。このため、近年では、方向性冠動脈内アテローム切除術は、冠動脈におけるプラーク除去治療に使われなくなった。そこで、特許文献１に記載されたようなカテーテルを血管内に挿入して、そのカテーテルの先端部分をプラーク形成箇所の近傍まで移動させ、そして、該先端部分に設けた振動子を、プラークから所定の距離だけ離れた位置で振動させて超音波を発生させることにより、血液中にキャビテーションを生じさせ、そのキャビテーションをもって、プラークを融除または微細化させる方法が検討されている。
【先行技術文献】
【特許文献】
【０００４】
【特許文献１】特表２００４−５２５７３７号公報
【発明の概要】
【発明が解決しようとする課題】
【０００５】
ところで、特許文献１に記載のような、プラークを融除または微細化するためのカテーテルは、その先端部分の振動子の周囲に、血液中で微小な気泡を発生および消滅させるものであるが、そのような微小な気泡の発生および消滅による組織の微細化作用等を、血管内膜のプラークだけに及ぼすことは困難であり、それ故に、このカテーテルは、血管壁の、プラークの周辺の組織を損傷させるおそれがある。
【０００６】
本発明は、従来技術が抱えるこのような問題を解決することを課題とするものであり、その目的とするところは、血管内膜に形成されたプラークを除去する際の、血管壁の、プラーク周辺の組織への損傷の発生を最小限にすることのできる血管挿入型デバイスを提供することにある。
【課題を解決するための手段】
【０００７】
本発明の血管挿入型デバイスは、血管に挿入可能であり、長手方向の両端のそれぞれに基端および先端を有する中空管状の挿入管と、該挿入管の先端部に配置されるとともに、該挿入管の内部に延在する振動伝達軸部材を介して振動発生器に連結されて、超音波振動を発する振動部とを具えてなるものであって、血管に挿入された前記挿入管の先端部で、前記振動部を血管壁の内面に押し当てる押当て手段を有することを特徴とするものである。
【０００８】
ここで、本発明の血管挿入型デバイスは、前記振動部を、横波を発生可能なものとすることが好ましい。
【０００９】
またここで、本発明の血管挿入型デバイスは、前記押当て手段を、前記振動部の、血管壁内面に接触させる前方側部分とは逆側の後方側に配置されて、流体の供給により、前記挿入管の径方向外側への前記振動部の変位をもたらす膨張変形を可能とした押当てバルーンで構成してなることが好ましい。
【００１０】
さらに、本発明の血管挿入型デバイスは、前記押当て手段を、前記振動伝達軸部材の、前記振動部に隣接する一部を構成するとともに、該振動部を前記挿入管の径方向外側に向けて付勢する弾性シャフト部分で構成してなることが好ましい。
【００１１】
ところで、本発明の血管挿入型デバイスでは、前記挿入管の先端部の側壁に、該先端部の内部に配置した前記振動部の少なくとも一部の、該先端部の外側への進出を可能にする貫通孔を設けることが好ましい。
【００１２】
また、本発明の血管挿入型デバイスでは、前記振動部および前記押当て手段のそれぞれを、前記挿入管に対し、該挿入管の軸線方向に進退変位可能とし、前記振動部および前記押当て手段の前進位置で、該振動部および該押当て手段のそれぞれが、前記挿入管の先端から外部に突出して位置するとともに、前記振動部および前記押当て手段の後退位置で、該振動部および該押当て手段のそれぞれが、前記挿入管の先端部の内部に収容されるものとしてなることが好ましい。
【００１３】
ここで、本発明の血管挿入型デバイスでは、該血管挿入型デバイスを、治療部位を加熱する加熱機能を具えるものとすることが好ましい。
また、この場合においては、前記振動部が、前記加熱機能を具えるヒーターを有することが好ましい。
【００１４】
またここで、本発明の血管挿入型デバイスは、前記押当て手段を、加熱機能を具えるものとすることが好ましい。
【００１５】
ところで、本発明の血管挿入型デバイスは、前記挿入管の先端部の内部に配置されるとともに、血管および／または血管壁内の組織をモニタリングする機構を有することが望ましい。前記モニタリングする機構として、モニタリング用超音波を発生可能な振動子を具えることが好ましい。
【発明の効果】
【００１６】
本発明の血管挿入型デバイスによれば、血管に挿入された挿入管の先端部で、振動部を血管壁の内面に押し当てる押当て手段を有するものとしたことにより、例えば、血管内膜に形成されたプラークを除去する際に、血管挿入デバイスの挿入管の先端部を、血管内の、治療するプラークが存在する位置の近傍に移動させた後、先端部に配置した振動部を、押当て手段によって、プラークが存在する部位の血管壁に押し当てることができる。そして、このように該振動部をプラークに押し当てた状態で、プラークを除去するため、超音波発生装置から伝達軸部材を介して伝達されて振動部で発生させる超音波振動を直接的に、プラークに作用させることができるので、プラーク周辺の組織の損傷の発生を最小限にすることができる。
【図面の簡単な説明】
【００１７】
【図１】本発明の血管挿入型デバイスの第一の実施形態を、挿入管の先端部を血管に挿入して押当て手段を作動させた状態で示す、全体図である。
【図２】図１の血管挿入型デバイスの挿入管の先端部を、押当て手段の作動前および作動後のそれぞれの状態で示す、挿入管の軸線方向に沿う部分拡大断面図である。
【図３】図１の血管挿入型デバイスにおける押当て手段の変形例のそれぞれを、押当て手段の作動前後のそれぞれの状態で示す、図２と同様の部分拡大断面図である。
【図４】本発明の挿入型デバイスの第二の実施形態の挿入管先端部を、押当て手段の作動前後のそれぞれの状態で示す、挿入管の軸線方向に沿う部分拡大断面図である。
【図５】図４の血管挿入型デバイスの挿入管先端部の変形例を、押当て手段の作動前後のそれぞれの状態で示す部分拡大断面図である。
【図６】本発明の挿入型デバイスの第三の実施形態の挿入管先端部を、押当て手段の作動前の状態で示す、挿入管の軸線方向に沿う部分拡大断面図である。
【図７】本発明の挿入型デバイスの第四の実施形態の挿入管先端部およびその変形例を、押当て手段の作動後の状態で示す、挿入管の軸線方向に沿う部分拡大断面図である。
【図８】本発明の挿入型デバイスの第五の実施形態の挿入管先端部を、押当て手段の作動前後のそれぞれの状態で示す、挿入管の軸線方向に沿う部分拡大断面図である。
【発明を実施するための形態】
【００１８】
以下、図面を参照して本発明の実施形態を詳細に例示説明する。
図１に例示する、本発明の第１の実施形態に係る血管挿入型デバイス１は、生体内の血管２、特に動脈の血管内膜に形成されるアテローム性プラーク２ａを除去するための血管挿入型デバイス１であって、血管２に挿入可能で、長手方向の両端のそれぞれに、生体外に位置させる基端および、血管２に挿入する先端を有する中空管状の挿入管３と、挿入管３の先端部３ａに配置されるとともに、図２に、その先端部３ａの拡大断面図で示すように、該挿入管３の内部に延在する振動伝達軸部材４を介して、基端側の振動発生器５に連結されて、超音波振動を発する振動部６とを具えてなる。
【００１９】
ここで、図１に示す、血管２内に挿入される血管挿入型デバイス１の、外周側部分を形成する挿入管３は、図示は省略するが、例えば、一本または複数本のワイヤ部材を、軸線方向に向けて螺旋状に、略隙間なく巻回し、該ワイヤ部材の周囲を全長にわたって、ポリエチレン；ポリプロピレン；ナイロン；ポリエチレンテレフタレート；ポリウレタン；ポリテトラフルオロエチレン（ＰＴＦＥ）、テトラフルオロエチレン・エチレン共重合体（ＥＴＦＥ）等のフッ素系ポリマー；熱可塑性エラストマー；などの可撓性を有する材料で被覆して形成されている。前記熱可塑性エラストマーとしては、例えば、ポリアミドエラストマー等のナイロン系；ポリエチレンテレフタレートエラストマー等のポリエステル系；ポリエチレンエラストマー、ポリプロピレンエラストマー等のオレフィン系；などが挙げられる。前記ワイヤ部材の被覆材料としては、ポリイミド等の熱硬化性材料；ステンレス（ＳＵＳ）；などを用いることもできる。
【００２０】
また、血管挿入型デバイス１の挿入管３の内部には、図２に示すように、該挿入管３の基端から先端まで延在する一もしくは複数のルーメン３ｂを設けることができ、図２に示すこの実施形態では、挿入管３の内部に、二つのルーメン３ｂが設けられている。なお、図２に示す挿入管３は、先端が閉口させているが、先端を開口させることもできる。
【００２１】
そしてまた、図１および２に示すように、血管挿入型デバイス１の挿入管３の、血管２内に挿入される先端部３ａには、横波、縦波を含む超音波振動を発する振動部６が設けられ、この一方で、挿入管３の基端側には、超音波振動を発生する振動発生器５が設けられており、そして、振動伝達軸部材４は、振動部６と振動発生器５とを連結するべく挿入管３の内部の一つのルーメン３ｂ内に先端から基端まで延在している。これにより、基端部３ｃに設けた振動発生器５によって生成された振動は、振動伝達軸部材４を経て、先端部３ａに設けた振動部６に伝達し、振動部６が超音波振動を発することになる。
【００２２】
このような血管挿入型デバイス１は、図１および２に例示する実施形態のように、血管２に挿入された挿入管３の先端部３ａで、振動部６を血管壁の内面に押し当てる押当て手段７を有する。これにより、例えば、血管内膜に形成されたプラーク２ａを除去する際に、血管挿入型デバイス１の挿入管３の先端部３ａを、血管２内の、プラーク２ａが存在する位置の近傍に移動させた後、先端部３ａに配置した振動部６を、図１に示すように、押当て手段７によって、プラーク２ａが存在する部位の血管壁に押し当てることができる。そして、このように振動部６を、プラーク２ａが存在する部位の血管壁に押し当てた状態で、振動部６が発する超音波振動を直接的に、プラーク２ａが存在する部位の血管壁に作用させ、それにより、例えば、プラーク２ａ内の細胞を破壊することができるので、従来技術のような、血管壁に押し当てない振動部６が発する超音波振動により血液中に生じ得る微小な気泡の発生および消滅に起因する、プラーク２ａ周辺の組織の損傷を最小限にすることができる。その結果として、プラーク２ａ周辺の組織の損傷を最小限にしつつ、プラーク２ａ内のコレステロールその他の脂質等（以下、コレステロール等と称す）が、血管２内の組織もしくは血液等、または血管２外の組織もしくはリンパ液等の、プラーク２ａ外の組織または体液（以下、プラーク外の組織等と称す）へ溶出し、プラーク２ａを除去することができる。
【００２３】
また、本発明の血管挿入型デバイス１は、振動部６を、該振動部６を押し当てたプラーク２ａに伝達させる振動の進行方向に垂直な方向へ振動する横波を発生可能なものとすることが好ましい。血管内膜に形成したプラークは、コレステロール等を貪食することで巨大化した、血管内皮細胞や線維芽細胞等より大きいサイズのマクロファージによって形成されるが、血管挿入型デバイス１の振動部６を、横波を発生可能なものとすることにより、振動部６を、プラーク２ａが存在する部位の血管壁に押し当てた状態で、振動部６が発する横波による超音波振動を、固体であるプラーク表面からその内部に、より確実に伝達させることができ、それ故に、血液中でのキャビテーションの発生によらずに、プラークを形成する巨大化したマクロファージを破壊することができる。
【００２４】
また、上記のように、横波を発生可能なものとした振動部６は、周波数が２０〜１００ｋＨｚの横波を発生可能なものとすることが好ましい。コレステロール等を貪食することで巨大化したマクロファージは、通常の細胞が１０〜２０μｍであるのに対し、２０〜８０μｍとサイズが大きいことにより、周波数が２０〜１００ｋＨｚの横波の超音波振動に対して固有振動を起こして共振するので、振動部６を、周波数が２０〜１００ｋＨｚの横波を発生可能なものとすることにより、振動部６をプラークに押し当てた状態で、振動部６で発生した上記範囲内の周波数域の横波による超音波振動を、他の細胞と比して大きなマクロファージに効果的に作用させ、その細胞膜を破壊することができる。
さらに、プラークを構成するマクロファージをより確実に共振させて破壊させるとの観点から、振動部６により発生可能な横波振動の周波数を、より好ましくは５０〜９０ｋＨｚ、さらに好ましくは６０〜７０ｋＨｚとする。
【００２５】
なお、振動部６の、血管壁内面に接触させる前方側部分６ａの表面形状は、限定されるものではないが、例えば、血管内面の曲面と略同じ曲面形状にすることができ、このような形状にすることで、振動部６を、血管壁により密着させることができるので、振動部６が発した超音波振動をより効率的に作用させることができる。
【００２６】
ここで、本発明の血管挿入型デバイス１の第一の実施形態では、図２に示すように、挿入管３の先端部３ａの側壁に、先端部３ａの内部に配置した振動部６の少なくとも一部の、先端部３ａの外側への進出を可能にする貫通孔３ｄを設けることが好ましい。このように、挿入管３の先端部３ａの内部に、振動部６を配置するとともに、その振動部６の少なくとも一部、例えば、血管壁内面に接触させる前方側部分６ａが先端部３ａの外側へ進出するための貫通孔３ｄを、先端部３ａの側壁に設けることにより、振動部６の前方側部分６ａを、押当て部手段７によるバックアップの下で、血管壁に直接押し当てることができる。
【００２７】
またここで、押当て手段７は、振動部６を血管壁の内面に押し当てるべく機能するものであれば、後述の具体的態様に限定されるものではなく、押当て手段７の作動に際する、押当て手段７と振動部６との接触もしくは非接触のいかんは問わない。例えば、押当て手段７は、図２に示す第一の実施形態のように、振動部６の、血管壁内面に接触させる前方側部分６ａとは逆側の後方側に配置されて、流体の供給により、挿入管３の径方向外側への振動部６の変位をもたらす膨張変形を可能とした押当てバルーン７１で構成することが好ましい。押当て手段７を、上記のような押当てバルーン７１とすることにより、血管壁への障害を最小限にして振動部６の前方側部分６ａを確実に血管壁に密着させることができる。
なお、押当て手段７を押当てバルーン７１で構成した場合は、該押当てバルーン７１を、挿入管３の先端部３ａの側壁の、振動部６を挟んで貫通孔３ｄと対向する周方向位置に、該側壁の一部を形成するものとして配置することにより、該押当てバルーン７１が、その内部への流体の供給によって、振動部６側に膨張変形して振動部６を挿入管３の径方向外側へ変位させるとともに、挿入管３の先端部３ａの側壁から径方向外側に拡がって、少なくとも、振動部６の変位方向とは逆方向に膨張変形し得るものとすることが好ましい。これによれば、振動部６の、血管内壁面への押し当てに際し、振動部６および押当てバルーン７１が、血管壁の内面に対して挿入管３の先端部３ａを固定するので、例えば、振動部６により超音波振動を発生させた際の、振動部６の位置ずれを防止して、その超音波振動を、血管内膜のプラークに対してより確実に作用させることができる。
【００２８】
ここで、押当て手段７を押当てバルーン７１で構成する場合、挿入管３の内部には、押当てバルーン７１を膨張させるための液体を該バルーン７１の内部に供給するバルーン膨張用ルーメン３ｅを設けることができる。
なお、押当てバルーン７１は、ポリエチレン、ナイロン、ポリウレタン等で形成され、また、押当てバルーン７１を膨張させるために用いることができる流体としては、例えば、生理食塩水やリンゲル液等の液体が挙げられる。
【００２９】
なお、第一の実施形態のような先端部構造を有する血管挿入型デバイス１の押当て手段７としては、上述した押当てバルーン７１に代えて、図３（ａ）に示すような、振動部６の前方側部分６ａとは逆側の後方側に配置されて、挿入管３の基端側からの通電により磁力を発生するコイルおよび巻芯からなる電磁石７２ａと、振動部６の後方側部分６ｂの一部を形成するとともに、電磁石７２ａが発生する磁力による振動部６側の磁極とは異なる磁極を、電磁石７２ａ側に有し、挿入管３の径方向外側への振動部６の変位をもたらす第一永久磁石７２ｂとで構成されるものとすることができ、この場合、コイルへの通電に起因する第一永久磁石７２ｂの、電磁石７２ａに対する斥力により、振動部６を血管壁の内面に押し当てることができる。
なおここにおいては、先端部３ａの側壁で、振動部６の、先端部３ａの外部への進出を許容する貫通孔３ｄと対向する周方向位置に貫通孔３ｆを形成し、この貫通孔３ｆの形成箇所に、電磁石７２ａが発生する磁力による図の下側の磁極とは異なる磁極を、電磁石７２ａ側（図の上側）に有する第二永久磁石７２ｃと、第二永久磁石７２ｃに重ね合わせて配置されて、血管壁に接触させる表面を有し、軟質材料からなる板状接触部８ａとを有する先端固定部材８を配設することができる。この構成によれば、電磁石７２ａと、第一永久磁石７２ｂおよび第二永久磁石７２ｃとのそれぞれの間に生じ得る斥力により、振動部６および先端固定部材８のそれぞれが、径方向外側に変位して血管壁の内面に当接することで、血管壁に対して挿入管３の先端部３ａを固定することができる。
図示は省略するが、上述した第一永久磁石７２ｂおよび／または第二永久磁石７２ｃを、挿入管３の基端側からの通電により磁力を発生する電磁石に変えることができ、また、図示の電磁石７２ａと、永久磁石７２ｂ、７２ｃとのそれぞれの配設位置を相互に入れ替えることも可能である。
また、押当て手段７として電磁石を用いると、上述の押当てバルーン７１を膨張変形させるための液体を用いずに、押当て手段７を機能させることができる。
【００３０】
また、押当て手段７は、先述したものの他、図３（ｂ）に示すように、挿入管３の内部、図では一つのルーメン３ｂに配置され、挿入管３の先端側の少なくとも一部に、複数箇所が屈曲変形するように癖付けされた屈曲部７３ａを有する弾性棒状部材７３で構成することができる。この押当て手段７によれば、振動部６を血管壁の内面に押し当てる前の状態では、挿入管３内で、弾性棒状部材７３は、その屈曲部７３ａが挿入管３の軸線方向に引き延ばされて配置されているが、振動部６を血管壁の内面に押し当てる際には、挿入管３の基端部から挿入管３の先端側に押された弾性棒状部材７３の先端が、挿入管３の先端の内壁に当接することで、屈曲部７３ａが、自身の復元力の作用によって挿入管３の軸線方向に折り畳まれることになり、折り畳まれたその屈曲部７３ａは、振動部６の配置空間への開口箇所で、振動部６を後方側から押して、振動部６を挿入管３の径方向外側へ変位させるように機能する。
このように、押当て手段７を、屈曲部７３ａを有する弾性棒状部材７３で構成する場合は、弾性棒状部材７３の屈曲部７３ａが、挿入管３の軸線方向へ折り畳まれた際に、その屈曲部７３ａに押されて、振動部６の変位方向とは逆方向に変位する、外表面が軟質材料からなる先端固定部材８を、挿入管３の先端部３ａの側壁に設けることができる。これによれば、振動部６と先端固定部材８とのそれぞれにより、血管壁の内面に対して挿入管３の先端部３ａを固定することができる。
また、押当て手段７として図３（ｂ）に示すような弾性棒状部材を用いると、液体や電気を用いずに、押当て手段７を機能させることができる。
【００３１】
また、さらに他の押当て手段７としては、図３（ｃ）に示すように、挿入管３の内部、図示では一つのルーメン３ｂに配置され、挿入管３の先端側に固定した、一端側の少なくとも一部に、複数回巻き回されてなるコイル状部分７４ａを有する弾性ワイヤ７４で構成したものを用いることができる。そして、この押当て手段７によれば、振動部６を血管壁の内面に押し当てる前の状態では、挿入管３内で、コイル状部分７４ａが、挿入管３の軸線方向に引き延ばされて配置されている弾性ワイヤ７４は、振動部６を血管壁の内面に押し当てる際に、引き延ばされたコイル状部分７４ａを緩めるべく、弾性ワイヤ７４を挿入管３の基端側から操作することで、コイル状部分７４ａが挿入管３の軸線方向に縮まるとともに元の径まで拡径しようと、そのコイル状部分７４ａにより、挿入管３の先端部３ａに配置された振動部６を、挿入管３の径方向外側へ変位させるように機能する。
なお、この場合もまた、先端固定部材８を、挿入管３の先端部３ａの側壁に設けることで、弾性ワイヤ７４のコイル状部分７４ａが先端固定部材８を変位させて、振動部６と先端固定部材８とのそれぞれにより、血管壁の内面に対して挿入管３の先端部３ａを固定することができる。
また、押当て手段７として図３（ｃ）に示すような弾性ワイヤを用いると、液体や電気を用いることなく、また、弾性棒状部材７３よりも確実に振動部６を押し当てることができる。
【００３２】
押当て手段７のさらなる変形例としては、図３（ｄ）に示すように、挿入管３の先端部３ａの内部に配置した回動板７５と、挿入管３内に延在するとともに、回動板７５の略中央域に、相互に間隔をおいてそれぞれの端部で取り付けた二本の操作用ワイヤ７５ａ、７５ｂとで構成されるものとすることができる。この押当て手段７では、振動部６を血管壁の内面に押し当てる前の状態では、回動板７５が、挿入管３の軸線方向に略平行に配置されており、そして、振動部６を血管壁の内面に押し当てる際には、挿入管３の基端側から、二本の操作用ワイヤ７５ａ、７５ｂのうち一方のワイヤ７５ａを、挿入管３内に押し込むとともに、他方のワイヤ７５ｂを引くことによって、回動板７５が、挿入管３の軸線方向に沿った方向から立ち上がる向きに回動変位することになり、それにより、回動板７５の一端が、振動部６の後方側部分６ｂに当接して、振動部６を、挿入管３の径方向外側へ変位させることができる。
なおここでも、先述したような先端固定部材８を配設することにより、上記のように回転変位した回動板７５の他端が、先端固定部材８に当接して、先端固定部材８を、挿入管３の径方向外側に、血管壁の内面に向けて変位させることができるので、血管壁の内面に対して挿入管３の先端部３ａを固定することができる。
また、押当て手段７として、図３（ｄ）に示すような回動板および二本の操作用ワイヤから構成されるものを用いると、振動部６の変位量を適切に調整することができる。
【００３３】
ところで、本発明の血管挿入型デバイス１の第一の実施形態では、挿入管３の二つのルーメン３ｂのうち、振動伝達軸部材４が延在するルーメン３ｂ内に、図２に示すように、挿入管３の先端部３ａの側壁に設けた貫通孔３ｄより基端側の側壁部分から、突出する支持板９を設けることができる。この支持板９を設けることにより、押当て手段を作動させた際に、振動部６に連結した振動伝達軸部材４が、支持板９との接触箇所で折れ曲るとともに、支持板９よりも先端側の部分で、貫通孔３ｄに向く方向へ傾くことになって、振動伝達軸部材４と挿入管３の側壁とが直接接触することなしに、振動部６を進出変位させることができる。
【００３４】
ここで、挿入管３の内部に延在する振動伝達軸部材４および振動部６を形成する材料としては、例えば、チタニウム、アルミニウム、ニッケルチタン合金（例えば、ニチノール）、コバルトクロム合金、コバルトクロム鉄合金（例えば、エルジロイ合金）、ニッケルクロム合金（例えば、インコネル合金）、鉄クロム合金（例えば、少なくとも５０％の鉄と少なくとも１１．５％のクロムを含有するステンレス鋼）、などが挙げられ、振動伝達軸部材４及び振動部６の硬さの観点、および、振動伝達軸部材４の血管追従性の観点から、ニッケルチタン合金および鉄クロム合金が好ましい。
【００３５】
ここで、本発明の血管挿入型デバイス１は、血管内膜のプラーク等の治療部位を加熱する加熱機能を有することが好ましい。また、挿入管３の先端部３ａに該加熱機能を配置することがより好ましい。先端部３ａの中でも、振動部６を、加熱機能をさらに具えるものとすること、および／または、押当て手段７を、加熱機能をさらに具えるものとすることがさらに好ましい。これによれば、振動部６が発生する、例えば横波による超音波振動を、押当て手段７によって振動部６を押し当てた血管内膜のプラークに作用させて、プラークを形成するマクロファージを破壊し、加熱機能で、プラークを加熱することにより、マクロファージが破壊されてプラーク内に存在するコレステロール等の、時間に伴って生じるプラーク外の組織等への溶出を促進させることができる。また、振動部６および／または押当て手段７を、加熱機能をさらに具えるものとすることにより、振動部６を押し当てた状態で、振動部６が超音波振動を発するのと同時に、またはその前後に、プラークを効率的に加熱することができる。
【００３６】
なお、上記の加熱機能は、振動部６を血管内膜のプラークに押し当てた状態で、プラークを加熱できるものであれば限定されるものではないが、加熱による血管内壁の、細胞の死滅その他の損傷を防ぐとの観点からは、プラークを、５０℃未満で加熱できるものが好ましい。
【００３７】
また、振動部６が具える加熱機能としては、例えば、電気抵抗により自身が熱を発生させる抵抗加熱を利用するもの（例えば、電熱線等のヒーター）、液体や気体その他の熱媒体の供給により加熱するもの、マイクロ波等の電磁波の作用により加熱する誘電加熱を利用するもの、超音波による発熱を利用するもの（例えば、超音波振動子等のヒーター）、血液中の溶存酸素等と反応して発生する酸化熱を利用するもの、または血液中の水分等を吸収して発生する溶解熱を利用するもの等が挙げられる。特に、マクロファージの破壊によって細胞外に流出したコレステロール等の脂質除去の観点から、振動部６が、自身が発生した熱によって対象物を加熱する電熱線や超音波振動子等のヒーターを有することが好ましい。これによれば、マクロファージの破壊とコレステロール等の溶出の促進（脂質の除去）とを同時に行うことができる。
なお、これらの加熱機能は、例えば、振動部６の内部に配置すること、または振動部６の外周面を覆って配置することもできる。
さらになお、振動部６自身が発する超音波振動により自身が発生する超音波加熱を、振動部６が具える加熱機能とすることもできる。
【００３８】
さらに、押当て手段７が具える加熱機能としては、振動部６と同様なものを利用することができ、例えば、押当て手段７としての押当てバルーン７１に加熱された液体を供給し膨張変形させることによる加熱を利用するもの、および、押当てバルーン７１の、振動部６の後方側部分６ｂと接触する位置に配置された、電気抵抗により自身が熱を発生させる抵抗加熱を利用するもの等が挙げられる。なお、押当て手段７が具える加熱機能は、振動部６を押し当てることで、振動部６に伝熱して、その機能を発揮するもののほか、振動部６を介さずにプラークを加熱することもできる。
【００３９】
ところで、本発明の血管挿入型デバイス１は、図示は省略するが、挿入管３の先端部３ａの内部に配置されるとともに、血管および／または血管壁内の組織をモニタリングする機構、例えば、モニタリング用超音波を発生可能な振動子を具えることが好ましい。これによれば、振動子が発生したモニタリング用超音波により血管および／血管の周辺の組織をモニタリングすることで、挿入管３の先端部３ａを血管内に挿入した際に、例えば、血管内におけるプラークの、存在位置、性状、硬さ等を検出することができ、また、振動部６が発生した超音波振動を作用させたプラークの状態を確認することができるので、そのモニタリング結果を利用することで、押当て手段７による、振動部６の、プラークへの押し当てを、より的確に行うことができるとともに、超音波振動をより有効に作用させることができる。なお、振動部６が接する部位の硬さは、例えば、振動伝達部材４を伝わる振動を解析することによって検出することができる。
【００４０】
以上に述べたような、図１および２に示す第一の実施形態の血管挿入型デバイス１を用いて、血管内膜のプラークを除去する方法を以下に説明する。
はじめに、血管挿入型デバイス１の挿入管３の挿通が可能なガイディングカテーテルおよび、ガイドワイヤを、予め血管内に挿入し、それらを用いて、挿入管３を、血管の、血管内膜にプラークが形成された位置に移動させる。次いで、挿入管３の先端部３ａに配置した振動部６を、血管内膜のプラークが形成された位置の、血管の径方向内側に位置させ、そして、挿入管３の先端部３ａの押当て手段７を作動させることで、振動部６を血管内膜のプラークが形成された位置に押し当てる（図２（ａ）の状態から図２（ｂ）の状態になる）。
【００４１】
そしてその後、挿入管３の内部に延在する振動伝達軸部材４を介して振動発生器５に連結された振動部６により超音波振動を発生させ、その超音波振動をプラークに作用させる。このとき、振動部６を、プラークが存在する部位の血管壁に押し当てているので、振動部６による超音波振動を直接的に、プラークだけに作用させることができ、それ故に、プラーク周辺の組織への、意図しない損傷の発生を最小限にすることができる。
【００４２】
ここで、振動部６を、例えば、２０〜１００ｋＨｚの横波を発生可能なものとする場合には、振動部６を、プラークが存在する部位の血管壁に押し当てた状態で、振動部６で発生した横波の超音波振動が、血管内皮細胞や線維芽細胞等の細胞へ殆ど傷害を与えることなく、プラークを形成する巨大化したマクロファージに選択的に作用して共振を生じさせ、その細胞膜を破壊することができる。
【００４３】
またここで、振動部６および／または押当て手段７を、加熱機能を具えるものとする場合には、上記のように、振動部６で発生させる超音波振動をプラークに作用させることにより、マクロファージの細胞外に漏出したコレステロール等が、プラーク外の組織または体液に溶出するのを促進することができる。
【００４４】
なお、挿入管３の先端部３ａの内部に配置されるとともに、血管および／または血管壁内の組織をモニタリングするモニタリング用超音波を発生可能な振動子を具える場合には、挿入管３の先端部３ａを血管内に挿入した際に、振動部６での超音波振動の発生に先立って、振動子からモニタリング用超音波を発生させて、例えば、血管内の、プラークが存在する位置を検出し、そこに、先端部３ａを位置させる。また、振動子からモニタリング用超音波を発生させて、超音波振動を作用させたプラークの状態を確認する。それらの結果として、押当て手段７により振動部６をプラークにより的確に押し当てることができるとともに、超音波振動をより有効に作用させることができる。
【００４５】
続いて、本発明の血管挿入型デバイス１０１の第二の実施形態について、以下に例示説明するが、ここでは、第一の実施形態と同様の構成についての説明は省略する。
図４に例示する血管挿入型デバイス１０１は、先端が開口した中空管状の挿入管１０３と、挿入管１０３の先端部１０３ａに配置される振動部１０６と、振動部１０６を押し当てる押当て手段１０７とを具えるとともに、図４（ａ）および（ｂ）に示すように、振動部１０６および押当て手段１０７のそれぞれを、挿入管１０３に対し、該挿入管１０３の軸線方向に進退変位可能としてなる。なお、振動部１０６は、様々な任意の形状とすることができるが、図４に示すところでは、挿入管１０３の軸線方向に延びる、平面輪郭形状が長方形の平板形状をなす。
ここで、図４に例示する血管挿入型デバイス１０１の挿入管１０３の先端が、開口していなくてもよく、その場合には、図５（ｃ）に示すように、挿入管１０３の先端部１０３ａの側壁に、互いに対向する貫通孔１０３ｄ、１０３ｆを形成して、振動部１０６および／または押当てバルーン１７１を、挿入管１０３に対し、該挿入管１０３の軸線方向に進退変位させることにより、該貫通孔１０３ｄ、１０３ｆを経て、挿入管１０３の外部へ位置させることもできる。
【００４６】
具体的には、図４（ａ）に示す、振動部１０６および押当て手段１０７の後退位置では、振動部１０６および押当て手段１０７のそれぞれが、挿入管１０３の先端部１０３ａの内部に収容される状態となり、それにより、この状態で、例えば、挿入管１０３の先端部１０３ａを血管内に挿入して、血管内の、プラークが存在する位置に移動させる際に、血管壁の内面を傷つけることがない。また、上記の後退位置に対し、図４（ｂ）に示す、振動部１０６および押当て手段１０７の前進位置では、振動部１０６および押当て手段１０７のそれぞれが、挿入管１０３の先端から外部に突出して位置する状態となり、この状態で、押当て手段１０７を作動させることによって、例えば、先端部１０３ａに配置した振動部１０６を、プラークが存在する位置の血管壁に押し当てることができる。
【００４７】
本発明の血管挿入型デバイス１０１の第二の実施形態においても、押当て手段１０７は、第一の実施形態で先述したような様々な態様とすることができる。
ここで、押当て手段１０７を、図４（ａ）および（ｂ）に示すように、振動部１０６の、血管壁内面に接触させる前方側部分１０６ａとは逆側の後方側（振動部１０６より挿入管１０３の半径方向内側）に配置するときは、作動させた押当て手段１０７が、振動部１０６のその後方側部分１０６ｂに当接して、振動部１０６を変位させることができる。
【００４８】
またここで、上記のように、押当て手段１０７を、振動部１０６の後方側に配置した場合には、挿入管１０３の内部に中空管状の内管１１０を設けるとともに、押当て手段１０７を内管１１０の先端側に配置させることができる。なおここでは、挿入管１０３の内部に設けた内管１１０は、振動部１０６および押当て手段１０７とともに、挿入管１０３に対し、該挿入管１０３の軸線方向に進退変位可能に配置されており、また、振動伝達軸部材１０４は、内管１１０の内部に延びて、内管１１０の側壁に設けた貫通孔１１０ａを経て内管１１０の先端部１１０ｂの外部に配置した振動部１０６に連結されている。
【００４９】
そして、押当て手段１０７は、振動部１０６の後方側に配置した膨張変形な押当てバルーン１７１で構成することが好ましい。押当て手段１０７を、上記のような押当てバルーン１７１とすることにより、振動部１０６および血管の内面に、適切な圧力を与えることができ、血管壁への傷害を最小限にして、振動部１０６を血管壁に密着させることができる。
【００５０】
なお、押当て手段１０７としての、押当てバルーン１７１は、内管１１０の先端部１１０ｂで振動部１０６との間だけに配置した場合であっても、振動部１０６を変位させることができるが、図４に示すように、内管１１０の先端部１１０ｂの周囲を全周にわたって覆って配置することが、流体の供給により、内管１１０の径方向外側へ振動部１０６を変位させつつ、振動部１０６への当接箇所以外の箇所で血管壁の内面に当接して、内管１１０の先端部１１０ｂを、血管壁の内面に対して、固定できる点で好ましい。それにより、振動部１０６が超音波振動を発生する際の、超音波振動を作用させるプラークからの位置ずれを防止することができる。
【００５１】
また、押当て手段１０７を押当てバルーン１７１とする場合は、図４に示すように、内管１１０の外周側に、環状の押当てバルーン１７１に液体を供給するためのバルーン膨張用ルーメン１１０ｃを、内管１１０の周囲を覆って設けることができる。あるいは、図５（ａ）に示すように、内管１１０の内部を、押当てバルーン１７１を膨張させるための液体を通過させるバルーン膨張用ルーメンとして用いることができ、ここでは、振動伝達軸部材１０４を、内管１１０の略全長にわたって、その内管１１０の外面に沿って配置することで、図４に示すような、内管１１０の側壁への貫通孔１１０ａの形成は不要となる。
【００５２】
ここで、第二の実施形態では、押当て手段１０７を、上述した押当てバルーン１７１に代えて、図５（ｂ）に示すように、振動伝達軸部材１０４の、振動部１０６に隣接する一部を構成するとともに、振動部１０６を挿入管１０３の径方向外側に向けて付勢する弾性シャフト部分１０４ｂで構成してなることが好ましい。これによれば、振動部１０６および、押当て手段１０７としての弾性シャフト部分１０４ｂの後退位置で、振動部１０６の、挿入管１０３の内面への当接によって弾性変形した弾性シャフト部分１０４ｂは、振動部１０６を先端部１０３ａから突出させた前進位置で復元して、振動部１０６を径方向外側へ変位させることができる。
またここでは、押当て手段１０７を、振動伝達軸部材１０４の、振動部１０６に隣接する変位軸部分１０４ａ周辺の一部を構成するとともに、加熱により、振動部１０６を挿入管１０３の径方向外側に向けて変位させるよう変形する形状記憶部分で構成することもできる。
押当て手段１０７として、図５（ｂ）に示すような弾性シャフト部分１０４ｂを用いると、振動部１０６の、挿入管１０６の径方向外側への変位量を適切に調整することができる。
【００５３】
ところで、第二の実施形態において、振動部１０６および押当て手段１０７のそれぞれの、挿入管１０３に対する、該挿入管１０３の軸線方向の進退変位は、例えば、挿入管１０３の先端部１０３ａの外周に設けられたガイドワイヤルーメン１１１の内部に延在して、挿入管１０３を血管内のプラークが存在する位置に導くための、図示しないガイドワイヤを、挿入管１０３の基端側に向かってプルバックして、ガイドワイヤルーメン１１１とともに挿入管１０３をスライドさせることで、実現しても構わない。
【００５４】
以下に、本発明の血管挿入型デバイス２０１の第三の実施形態について例示説明する。
図６に示す血管挿入型デバイス２０１は、図４に示す第二の実施形態と略同様の構成を有するものであるが、図４でいう挿入管１０３としての外管を除去し、図４でいう内管１１０を挿入管２０３とするとともに、挿入管２０３の先端部２０３ａの内部に、軸線方向で、押当て手段２０７としての押当てバルーン２７１の配設領域を超える範囲に延びる血流確保用ルーメン２１１を設けた点で、図４に示すものとは相違する。
この血流確保用ルーメン２１１により、押当てバルーン２７１を膨張変形させて、振動部２０６および押当てバルーン２７１を血管壁内面に全周にわたって当接させた場合であっても、そこでの血流を確保することができる。なお、血流確保用ルーメン２１１は、挿入管２０３を血管内の所期した箇所に導くためのガイドワイヤを通すことにも用いることが可能である。
【００５５】
また、振動部２０６を挿入管２０３の軸線方向に進退変位させることにより、振動部２０６を挿入管２０３の内部に収容することが可能である。振動部２０６を挿入管２０３の内部に収容することにより、例えば、挿入管２０３を、血管内に挿入して、血管内の、治療標的部位であるプラークが存在する位置に移動させる際に、振動部２０６が血管壁の内面を傷つけるのを防止することができる。
【００５６】
続いて、本発明の血管挿入型デバイス３０１の第四の実施形態について例示説明する。
図７に例示する血管挿入型デバイス３０１は、特に、押当て手段３０７の構成を、図６に示す押当てバルーン２７１とは異なるものとしたことを除いて、図６に示すデバイス２０１と略同様の構成を有するものである。
【００５７】
より詳細には、図７（ａ）に示すところでは、押当て手段３０７は、振動伝達軸部材３０４の、振動部３０６に隣接する一部をなす変位軸部分３０４ａと、挿入管３０３の内部、例えば、一つのルーメン３０３ｂ内で基端側から延びて、前記変位軸部分３０４ａの中間部に連結した操作部材３７６とで構成されてなる。そして、この押当て手段３０７によれば、操作部材３７６を、挿入管３０３の基端側に引っ張ることにより、操作部材３７６を連結した変位軸部分３０４ａを、挿入管３０３の軸線方向から立ち上がる向きに変位させ、それにより、振動部３０６を、挿入管３０３の半径方向外側に変位させることができる。
【００５８】
なお、押当て手段３０７を構成する操作部材３７６は、例えば、金属または樹脂製のワイヤ等から形成される。
【００５９】
また、図７（ｂ）に示すところでは、変位軸部材３０４ａを、振動伝達軸部材３０４とは別個の部材とするとともに、その中間部で、振動伝達軸部材３０４に回動可能に連結し、また、変位軸部材の一端側に振動部３０６を取り付ける一方で、他端側に先端固定部材３０８を取り付け、そして、変位軸部分３０４ａに、前記振動伝達軸部材３０４との連結部から所定の間隔をおいた位置で、先述したような操作部材３７６を連結している。操作部材３７６の引張り操作により、変位軸部分３０４ａが振動伝達軸部材３０４との連結部周りに回動変位して、振動部３０６が図の上方側に変位するとともに、先端固定部材３０８が図の下方側に変位することになる。それにより、振動部３０６および先端固定部材３０８のそれぞれが、血管壁の内面に当接して、挿入管３０３の先端部３０３ａを固定することができる。
【００６０】
また、先端固定部材３０８の、少なくとも、血管壁の内面に接する部分は、振動部３０６が発生する超音波振動を吸収する材料、例えば、フェライト粉末、タングステン粉末、アルミナ粉末等を含むエポキシ樹脂；フェライト粉末、タングステン粉末、アルミナ粉末等を含むブチルゴム；フェライト粉末、タングステン粉末、アルミナ粉末等を含むシリコーン樹脂；などで構成することができる。
【００６１】
なお、図７（ｂ）に示す血管挿入型デバイス３０１では、図７（ａ）に示すものとは異なり、挿入管３０３の先端部３０３ａに、先述のガイドワイヤを通すためのガイドワイヤルーメン３１１を設けていないが、血管挿入型デバイス３０１の使用目的に応じて、ガイドワイヤルーメン３１１を設けてもよい。
【００６２】
また、図７（ａ）および（ｂ）に示す血管挿入型デバイス３０１は、図６に示す血管挿入型デバイス１０１と同様に、振動部３０６を、挿入管３０３の内部に収容することが可能である。振動部３０６を挿入管３０３の内部に収容することにより、例えば、挿入管３０３を血管内に挿入して、血管内の、治療標的部位であるプラークが存在する位置に移動させる際に、振動部３０６が血管壁の内面を傷つけるのを防止することができる。
【００６３】
次いで、本発明の血管挿入型デバイス４０１の第五の実施形態について例示説明する。
図８に例示する血管挿入型デバイス４０１は、先端部４０３ａの側壁に貫通孔４０３ｄを設けた中空管状の挿入管４０３と、挿入管４０３の先端部４０３ａに配置される振動部４０６と、挿入管内面と振動伝達軸部材４０４の変位軸部分４０４ａとの間に配設したコイル状のねじりばねとしての、振動部４０６の押当て手段４０７とを具える。この実施形態では、図８（ａ）および（ｂ）で示すように、振動部４０６および押当て手段４０７のそれぞれが、挿入管４０３に対し、該挿入管４０３の軸線方向に進退変位可能に配置されている。
【００６４】
具体的には、振動部４０６および押当て手段４０７の後退位置では、振動部４０６が、先端部４０３ａの貫通孔４０３ｄの配置箇所からずれた位置、例えば、挿入管４０３の軸線方向で貫通孔４０３ｄより基端側の位置に配置され、振動部４０６および押当て手段４０７のそれぞれが、挿入管４０３の先端部４０３ａの内部に収容される状態となる。一方、上記の後退位置から、振動部４０６および押当て手段４０７のそれぞれを軸線方向に相対変位させた後の、図８（ｂ）に示す、振動部４０６および押当て手段４０７の前進位置では、振動部４０６および押当て手段４０７のうち、少なくとも振動部４０６が、押当て手段としてのねじりばね４７７による付勢力に基づき、貫通孔４０３ｄを介して、挿入管４０３の先端部４０３ａの外側に進出して位置する状態となる。
なお、図８に示すこの実施形態でもまた、挿入管４０３の先端部４０３ａに、ガイドワイヤを通すためのガイドワイヤルーメン４１１を設けることができる。
【００６５】
以上、図面を参照して本発明の実施形態を説明したが、本発明の血管挿入型デバイスは、上記の例に限定されることは無く、本発明の血管挿入型デバイスには、適宜変更を加えることができる。
【産業上の利用可能性】
【００６６】
本発明によれば、血管内膜に形成されたプラークを除去する際の、血管壁の、プラーク周辺の組織への損傷の発生を最小限にすることのできる血管挿入型デバイスを提供することができる。
【符号の説明】
【００６７】
１、１０１、２０１、３０１、４０１  血管挿入型デバイス
２  血管
２ａ  プラーク
３、１０３、２０３、３０３、４０３  挿入管
３ａ、１０３ａ、２０３ａ、３０３ａ、４０３ａ  先端部
３ｂ、３０３ｂ  ルーメン
３ｃ  基端部
３ｄ、１０３ｄ、４０３ｄ  貫通孔
３ｅ  バルーン膨張用ルーメン
３ｆ、１０３ｆ  貫通孔
４、１０４、３０４、４０４  振動伝達軸部材
１０４ａ、３０４ａ、４０４ａ  変位軸部分
１０４ｂ  弾性シャフト部分
５  振動発生器
６、１０６、２０６、３０６、４０６  振動部
６ａ、１０６ａ  前方側部分
６ｂ、１０６ｂ  後方側部分
７、１０７、２０７、３０７、４０７  押当て手段
７１、１７１、２７１  押当てバルーン
７２ａ  電磁石
７２ｂ  第一永久磁石
７２ｃ  第二永久磁石
７３  弾性棒状部材
７３ａ  屈曲部
７４  弾性ワイヤ
７４ａ  コイル状部分
７５  回動板
７５ａ、７５ｂ  操作用ワイヤ
３７６  操作部材
４７７  バネ
８、３０８  先端固定部材
８ａ  板状接触部
９  支持板
１１０  内管
１１０ａ  貫通孔
１１０ｂ  （内管の）先端部
１１０ｃ  （内管の）バルーン膨張用ルーメン
１１１、３１１、４１１  ガイドワイヤルーメン
２１１  血流確保用ルーメン
【図１】
2014108150.tif 000003
【図２】
2014108150.tif 000004
【図３】
2014108150.tif 000005
【図４】
2014108150.tif 000006
【図５】
2014108150.tif 000007
【図６】
2014108150.tif 000008
【図７】
2014108150.tif 000009
【図８】
2014108150.tif 000010